(57)【特許請求の範囲】
【請求項１】
洗剤等の洗浄液を保存するための洗浄液保持部と、給水口から局部へ洗浄水を噴出するための洗浄ノズルヘ至る給水経路の途中に配設されて前記洗浄液保持部から洗浄液を注入する洗浄液注入口とを有しているとともに、洗浄液保持部から洗浄液注入口に至る洗浄液供給経路に該経路の洗浄用の水を供給するすすぎ経路を備え、すすぎ経路は、給水経路中に配された洗浄水加熱用の加熱手段の前段と洗浄液供給経路とを接続しているとともに洗浄液供給経路における洗浄液保持部側の端部に逆流防止弁を備え、洗浄液供給経路の逆流防止弁の下流側で且つすすぎ経路が接続される部分の上流側に、すすぎ経路からの水流が逆流防止弁に直接当たるのを防止するための遮蔽板を備えていることを特徴とする局部洗浄装置。
【請求項２】
洗剤等の洗浄液を保存するための洗浄液保持部と、給水口から局部へ洗浄水を噴出するための洗浄ノズルヘ至る給水経路の途中に配設されて前記洗浄液保持部から洗浄液を注入する洗浄液注入口とを有しているとともに、洗浄液保持部から洗浄液注入口に至る洗浄液供給経路に該経路の洗浄用の水を供給するすすぎ経路を備え、すすぎ経路は、給水経路中に配された洗浄水加熱用の加熱手段の後段と洗浄液供給経路とを接続しているとともに洗浄液供給経路における洗浄液保持部側の端部に逆流防止弁を備え、洗浄液供給経路の逆流防止弁の下流側で且つすすぎ経路が接続される部分の上流側に、すすぎ経路からの水流が逆流防止弁に直接当たるのを防止するための遮蔽板を備えていることを特徴とする局部洗浄装置。
【請求項３】
すすぎ経路の途中に、すすぎ経路を開閉する開閉手段を設けていることを特徴とする請求項１又は２記載の局部洗浄装置。
【請求項４】
洗浄液供給経路を洗浄した水を便器へ排出するための排水経路を備えていることを特徴とする請求項１乃至３のいずれか一項に記載の局部洗浄装置。
【請求項５】
洗浄ノズルの前段に、固形物濾過用のフィルターを配していることを特徴とする請求項１乃至３のいずれか一項に記載の局部洗浄装置。
【請求項６】
洗浄ノズルから洗浄水のみを噴出する温水洗浄モードと、洗浄液を洗浄水に混合した洗浄液洗浄モードと、洗浄液供給経路を洗浄するすすぎモードとを切り換えて実行することができるようになっているとともに、すすぎモードは他の動作モードに続いて自動実行されるものであることを特徴とする請求項１乃至５のいずれか一項に記載の局部洗浄装置。
【請求項７】
洗浄液洗浄モード使用毎にすすぎモードが実行されるものであることを特徴とする請求項６記載の局部洗浄装置。
【請求項８】
洗浄液洗浄モードが所定回数実行される毎にすすぎモードが実行されるものであることを特徴とする請求項６記載の局部洗浄装置。
【請求項９】
人体の検知用の人体検知センサを有し、人体検知センサからの信号に連動してすすぎモードが実行されるものであることを特徴とする請求項６乃至８のいずれか一項に記載の局部洗浄装置。
【請求項１０】
人体の便座への離着座を検知するための着座センサからの着座信号に連動してすすぎモードを実行させるとともに、洗浄液供給経路を洗浄したすすぎ水を便器洗浄水として便器に噴出するものであることを特徴とする請求項６乃至９のいずれか一項に記載の局部洗浄装置。
【請求項１１】
人体の便座への離着座を検知するための着座センサからの離着座信号に連動させてすすぎモードを実行させるとともに、洗浄液供給経路を洗浄したすすぎ水をノズル洗浄水として洗浄ノズルに向けて噴出するものであることを特徴とする請求項６乃至１０のいずれか一項に記載の局部洗浄装置。
【請求項１２】
給水経路のうち洗浄液保持部からの洗浄液が注入される洗浄液注入口の部分の流路断面積を該給水経路の他の部分の流路断面積よりも大きくしたことを特徴とする請求項１乃至１１のいずれか一項に記載の局部洗浄装置。
【請求項１３】
給水経路の洗浄液注入口よりも上流側に水道水中に含まれる金属イオンを除去するための金属イオン除去部を備えたことを特徴とする請求項１乃至１２のいずれか一項に記載の局部洗浄装置。
【発明の詳細な説明】
【０００１】
【発明の属する技術分野】
本発明は人体局部を洗浄するための局部洗浄装置に関する。
【０００２】
【従来の技術】
局部洗浄装置は、通常、図１７に示すように、局部洗浄機構を有する局部洗浄装置本体Ａと、使用者が洗浄方法等を選択操作するための操作部Ｂと、操作部からの信号に応じて便座温度や洗浄水温度や洗浄流量等を制御するための主制御部（図示せず）と、使用者が座るための便座Ｃとで構成され、温水タンクと洗浄ノズルとを備えた局部洗浄装置本体Ａは、操作部Ｂからの指示に基づいて、温水タンク内の温水を洗浄ノズルから局部に向けて噴射して局部の洗浄を行う。
【０００３】
このような局部洗浄装置において、局部洗浄をより衛生的に行うために、洗浄用の温水に洗浄液を混合して洗浄ノズルから噴射するようにしたものが提供されている。
【０００４】
図１８は洗浄液を用いた洗浄も行うことができる局部洗浄装置の本体Ａの一例を示しており、水道等の水源１から供給される水を蓄えるとともに内蔵ヒータにより加熱して温水にする温水タンク１２と、局部を洗浄するための水を噴出する洗浄ノズル２と、温水タンク１２と洗浄ノズル２とを結ぶ給水経路Ｌ１と、給水経路Ｌ１中に配置されて温水タンク１２内の水を洗浄ノズル２に搬送するための水ポンプ１３とを備えるほか、給水経路Ｌ１に洗浄液を供給するための洗浄液供給部３が設けられている。
【０００５】
ここにおける洗浄液供給部３は、洗浄液を溜めた洗浄液タンク３０と、給水経路Ｌ１中に洗浄液を混合するための洗浄液注入口３３と、洗浄液タンク３０と洗浄液注入口３３とを接続する洗浄液供給経路Ｌ２と、洗浄液供給経路Ｌ２中に配置されて洗浄液の搬送を行う洗浄液供給手段３２と、給水経路Ｌ１から洗浄液タンク３０に水が逆流することを防ぐための逆流防止弁３１で構成されている。
【０００６】
使用者が操作部Ｂにて洗浄方式を選定し、温水洗浄を選択した場合には洗浄液供給手段３は作動しないので、温水タンク１２に貯えられた温水がそのまま人体局部に噴出され、洗浄液洗浄を選択した場合には洗浄液供給手段３２が作動して図１９に示すように洗浄液が給水経路Ｌ１に供給され、温水と洗浄液とが混合された後に人体局部に噴出される。
【０００７】
【発明が解決しようとする課題】
上記の局部洗浄装置おいては、長期間放置した場合、洗浄液が固着してしまい、洗浄液供給手段３２が動作不良となったり、洗浄液注入口３３が詰まってしまって、洗浄液が注入されない事態を招くことがあった。洗浄液タンク３０内の洗浄液が空になった場合、洗浄液供給経路Ｌ２内に空気が侵入するために、なおさら固着が発生しやすくなる。
【０００８】
本発明はこのような点に鑑み為されたものであり、その目的とするところは洗浄液の固着による問題を解消することができる局部洗浄装置を提供するにある。
【０００９】
【課題を解決するための手段】
しかして本発明は、洗剤等の洗浄液を保存するための洗浄液保持部と、給水口から局部へ洗浄水を噴出するための洗浄ノズルヘ至る給水経路の途中に配設されて前記洗浄液保持部から洗浄液を注入する洗浄液注入口とを有しているとともに、洗浄液保持部から洗浄液注入口に至る洗浄液供給経路に該経路の洗浄用の水を供給するすすぎ経路を備えていることに特徴を有し、上記すすぎ経路は、給水経路中に配された洗浄水加熱用の加熱手段の前段か又は後段と洗浄液供給経路とを接続しているとともに洗浄液供給経路における洗浄液保持部側の端部に逆流防止弁を備え、洗浄液供給経路の逆流防止弁の下流側で且つすすぎ経路が接続される部分の上流側に、すすぎ経路からの水流が逆流防止弁に直接当たるのを防止するための遮蔽板を備えている。
【００１２】
すすぎ経路の途中に、すすぎ経路を開閉する開閉手段を設けたものとするのも好ましい。
【００１３】
また、洗浄液供給経路を洗浄した水を便器へ排出するための排水経路を備えたものとしたり、洗浄ノズルの前段に、固形物濾過用のフィルターを配したものするのも好ましい。
【００１４】
そして、洗浄ノズルから洗浄水のみを噴出する温水洗浄モードと、洗浄液を洗浄水に混合した洗浄液洗浄モードと、洗浄液供給経路を洗浄するすすぎモードとを切り換えて実行することができるようになっているとともに、すすぎモードは他の動作モードに続いて自動実行されるものが好ましい。
【００１５】
このばあい、洗浄液洗浄モード使用毎にすすぎモードが実行されるものであっても、洗浄液洗浄モードが所定回数実行される毎にすすぎモードが実行されるものであってもよい。
【００１６】
また、人体の検知用の人体検知センサを有し、人体検知センサからの信号に連動してすすぎモードが実行されるようにしたり、人体の便座への離着座を検知するための着座センサからの着座信号に連動してすすぎモードを実行させるとともに、洗浄液供給経路を洗浄したすすぎ水を便器洗浄水として便器に噴出するものとしたり、人体の便座への離着座を検知するための着座センサからの離着座信号に連動させてすすぎモードを実行させるとともに、洗浄液供給経路を洗浄したすすぎ水をノズル洗浄水として洗浄ノズルに向けて噴出するものとしてもよい。
【００１７】
また、給水経路のうち洗浄液保持部からの洗浄液が注入される洗浄液注入口の部分の流路断面積を該給水経路の他の部分の流路断面積よりも大きくしたものとするのも好ましい。
【００１８】
また、給水経路の洗浄液注入口よりも上流側に水道水中に含まれる金属イオンを除去するための金属イオン除去部を備えたものとするのも好ましい。
【００１９】
【発明の実施の形態】
以下本発明を実施の形態の一例に基づいて詳述すると、局部洗浄装置としての基本的構成は前記従来例とほぼ同じで、図１に示すように、水道等の水源１と洗浄ノズル２とをつなぐ給水経路Ｌ１中に、給水加熱用のヒータを備えた温水タンク１２と水ポンプ１３と洗浄液注入口３３とをこの順に挿入してある。また、温水タンク１２と水源１との間には給水経路Ｌ１を開閉する給水弁１１を配置してある。
【００２０】
水ポンプ１３は、主制御部から入力した制御信号に応じて洗浄流量を変更し、一定に保つ。洗浄流量の変更は、水ポンプ１３を制御する代わりに主制御部からの信号に応じて流路の断面積を変化させる流路断面積変更手段、たとえば電磁流量弁などで行ってもよい。なお、上記水ポンプ１３は必須ではなく、洗浄操作キーの操作によって電磁弁式の給水弁１１を開弁した時、洗浄水が給水圧で直接送り出されるようにしていてもよい。また、温水タンク１２を使用せずに、セラミックまたはシーズ型のヒータで給水を直接加熱して洗浄ノズル２に供給するようにしたものであってもよい。
【００２１】
また、洗浄液供給部３は、洗浄液タンク３０と上記洗浄液注入口３３とをつなぐ洗浄液経路Ｌ２中に逆流防止弁３１と洗浄液供給手段３２とを挿入したものとして構成してある。洗浄液供給経路Ｌ２は、例えば、ゴムホース等で構成され、洗浄液タンク３０の底面近くまで延長されている。洗浄液タンク３０は透明あるいは半透明の樹脂にて形成されたものが好ましい。洗浄液の残量を目視にて確認することができるからである。洗浄液残量が少なくなった場合は、使用者が洗浄液タンク３０を取り外し、洗浄液を補充して再び装着する。
【００２２】
洗浄液供給手段３２としては、ギアボンプやダイヤフラム式ポンプを好適に用いることができる。逆流防止弁３１としては、直動式やダイヤフラム式の電磁弁、あるいは、ダックビルバルブを用いることができる。この逆流防止弁３１は、洗浄液供給経路Ｌ２から取り外し可能にしたものが好ましい。万が一、固着等が発生した際に取り外して固着を取り除くことができるからである。
【００２３】
そして、ここでは給水経路Ｌ１における給水弁１１と温水タンク１２との中間点から分岐して、洗浄液供給経路Ｌ２中の洗浄液供給手段３２と逆流防止弁３１との間に接続されるすすぎ経路Ｌ３を設けているとともに、該すすぎ経路Ｌ３中にすすぎ経路Ｌ３を開閉するすすぎ弁３４を設けている。すすぎ弁３４としては、例えば、ノーマルクローズの電磁弁を用いることができる。この場合、すすぎモードを実行する時だけすすぎ弁３４に通電すれば良いため、コイルの発熱等を防ぐことができる。
【００２４】
また、洗浄液供給経路Ｌ２の逆流防止弁３１に隣接して、図１１に示すように、遮蔽板３６が設けてある。遮蔽板３６は、図１２及び図１３に示すようなもので、洗浄液供給経路Ｌ２の逆流防止弁３１のすぐ下流側で且つ、すすぎ経路Ｌ３が接続されている部分の上流側に設けられ、すすぎ経路Ｌ３からの水流が逆流防止弁３１に直接当たるのを防止するものである。
【００２５】
この遮蔽板３６を設けていない場合には、すすぎ経路Ｌ３をすすいだ水がすすぎ弁３４を通って洗浄液供給経路Ｌ２に流入し、逆流防止弁３１に当たった後に、洗浄液供給手段３２に吸引されて洗浄液供給経路Ｌ２の下流側（即ち洗浄液注入口３３側）へと流れる。この時、すすぎ経路Ｌ３から流入した水が逆流防止弁３１（例えばダックビルバルブ）に直接当たって力を及ぼして変形してしまうことがあった。そこで、このような遮蔽板３６を設けることで、すすぎ経路Ｌ３から洗浄液供給経路Ｌ２に流入した水は、逆流防止弁３１に当たらず遮蔽板３６に当たった後に洗浄液供給経路Ｌ２の下流側へと流れるため、逆流防止弁３１に力が及ぼされて変形してしまうことが防止できる。
【００２６】
洗浄ノズル２は、図４に示すように、お尻洗浄ノズル２２、ビデ洗浄ノズル２３のほかに、便器内面を濡らしたり洗浄したりするための便器洗浄ノズル２４と、お尻洗浄ノズル２２及びビデ洗浄ノズルを洗浄するためのノズル洗浄ノズル２１、並びにこれらのノズル２１〜２４ヘの流路を切リ替えるための流路切替機構、例えば、ステッピングモーターで駆動するロータリー切替弁２０で構成されて、ロータリー切替弁２０で流路を切リ替えることより、温水タンク１２からの温水に洗浄液を混合し、お尻洗浄ノズル２２またはビデ洗浄ノズル２３から噴出することができるほか、混合水を便器洗浄ノズル２４で便器内面に噴出したり、ノズル洗浄ノズル２１から洗浄ノズル２２，２３に向かって噴出することができるものが好適に用いられる。
【００２７】
給水経路Ｌ１中の洗浄ノズル２の上流側には、図２に示すように、すすぎ水を便器へ直接排水するための排水経路３５を設けるようにしてもよい。この場合、すすぎモードを実行すると、洗浄液供給手段３２や洗浄液供給経路Ｌ２及び洗浄液注入口３３をすすいだ水が排水経路３５に流れるように制御して洗浄ノズル２に流れ込まないようにすることができる。固着分を含んだすすぎ液が洗浄ノズル２に流れることで洗浄ノズル２が目詰まりしてしまうのを防止できるものとなる。
【００２８】
排水経路３５を設ける代わりに図３に示すように給水経路Ｌ１中の洗浄ノズル２の上流側に洗浄液は通過するが固形分は通過しない程度の粗さのフィルター１４を設けて洗浄ノズル２の目詰まりを防ぐようにしてもよい。このフィルター１４は、給水経路Ｌ１から着脱できるように構成しておくことで、フィルター１４に引っ掛かった異物を定期的に除去することができる。
【００２９】
前記操作部Ｂは、便座操作部、洗浄操作部、洗浄液供給経路をすすぐためのすすぎ操作部等で構成される。便座操作部には、便座温度を変更させるための便座温度操作キーが、洗浄操作部には、洗浄モードを操作するための洗浄モード操作キーと、洗浄水の温度を変更させるための洗浄温度操作キーと、洗浄時の洗浄流量を変更させるための洗浄流量操作キーが配置される。洗浄モード操作キーは、温水洗浄操作キー、洗浄液洗浄操作キー及びビデ洗浄操作キーで構成される。
【００３０】
また、すすぎ操作部は、自動的にすすぎモードを実行するかしないかを選択するためのすすぎ実行選択キーと、使用者が押した時にのみすすぎモードを実行する手動すすぎキーとで構成される。使用者がこれらのキー操作を行うと、キー入力情報は主制御部に伝えられる。
【００３１】
また、図６に示すように、使用者の着座を検知するための着座センサＳ１と、人のトイレヘの入室を検知するための入室検知センサＳ２（例えば赤外線センサあるいは超音波センサ）が配置される。
【００３２】
洗浄モードとしては、お尻洗浄とビデ洗浄が有り、さらに、お尻洗浄には、通常の温水洗浄モードと洗浄液洗浄モードとがある。また、洗浄液供給手段３２や洗浄液供給経路Ｌ２及び洗浄液注入口３３をすすぐためのすすぎモードが設けられている。また、すすぎモードには、自動すすぎモードと手動すすぎモードを設けている。
【００３３】
各モードにおける動作を説明すると、通常のお尻洗浄、ビデ洗浄、便器洗浄、ノズル洗浄の場合には、給水弁１１が開き、水ポンプ１３が駆動される。すすぎ弁３４は閉じられたままで、洗浄液供給手段３２も駆動されない。したがって、給水口から流入した水は、すすぎ経路Ｌ３あるいは洗浄液供給経路Ｌ２には流れず、給水経路Ｌ１にのみ流れ、ロータリー切替弁２０で選択されたノズルより噴出する。洗浄液供給経路Ｌ２には逆流防止弁３１を設けているために、給水経路Ｌ１側の温水が洗浄液タンク３０に入ってくることはない。
【００３４】
洗浄液洗浄モードが選択された際には、給水弁１１が開いて水ポンプ１３が駆動されるとともに、洗浄液供給手段３２が作動する。ただし、すすぎ弁３４は閉じられたままである。洗浄液供給手段３２は洗浄液タンク３０から洗浄液を吸引し、洗浄液注入口３３から温水中に注入して温水と混合する。
【００３５】
洗浄液が混合された温水は、ロータリー切替弁２０を介して、お尻ノズル２２より肛門に噴出される。
【００３６】
また、給水経路Ｌ１のうち洗浄液注入口３３の部位は、図１４に示すように、給水経路Ｌ１の他の部位よりも流路断面積が大きくなるように形成してある。これにより、洗浄液供給経路Ｌ２から給水経路Ｌ１に流入する洗浄液は、給水経路Ｌ１を流れてきた温水と充分に撹拌混合された後、洗浄ノズル２より噴出されることになる。更にこの時、図１５に示すように洗浄液注入口３３の前後で給水経路Ｌ１が一直線にならないようにした場合、流路断面積が大きくなった洗浄液注入口３３の混合部で還流が発生するため、撹拌の効果はより一層高くなって、濃度が均一となった洗浄液が噴出されるものである。
【００３７】
洗浄液洗浄モードでお尻を洗浄する以外にも、ロータリー切替弁２０で便器洗浄ノズル２４あるいはノズル洗浄ノズル２１を選択して、便器洗浄ノズル２４あるいはノズル洗浄ノズル２１から洗浄液混合温水を噴出してもよい。この場合、通常の洗浄よりも高い洗浄力が期待できる。
【００３８】
すすぎモード時には、給水弁１１とすすぎ弁３４が共に開き、洗浄液供給手段３２が駆動されるが、水ポンプ１３は駆動されない。給水口から流入した水は、すすぎ経路Ｌ３と洗浄液供給経路Ｌ２及び洗浄液注入口３３を通過した後、ノズル２に流入する。この時、すすぎ経路Ｌ３から洗浄液供給経路Ｌ２に流入した水は、遮蔽板３６に当たって拡散された後、洗浄液供給手段３２によって吸引されて洗浄液供給経路Ｌ２の下流側へと流れる。したがって、逆流防止弁３１にすすぎ経路Ｌ３からの水が直接当たって変形してしまうのを防止することができる。更にこの時、水ポンプ１３及び給水経路Ｌ１の圧損があるため、給水口から流入した水は給水経路Ｌ１にはほとんど流入しない。
【００３９】
洗浄液供給経路Ｌ２をすすいだ後に洗浄ノズル２に達したすすぎ水は、ロータリー切替弁２０がお尻ノズル２２を選択している場合は、お尻ノズル２２から肛門に水噴出され、洗浄液で洗浄された後の肛門周辺をすすぐ。ロータリー切替弁２０が便器洗浄ノズル２４あるいはノズル洗浄ノズル２１を選択している場合は、すすぎ水は便器洗浄ノズル２４あるいはノズル洗浄ノズル２１から噴出される。いずれにせよ、水は洗浄液供給手段３２、洗浄液供給経路Ｌ２及び洗浄液注入口３２を通過するため、長期放置等によりこれらが固着するのを防止できる。
【００４０】
本例では、すすぎモードの時、温水タンク１２内の温水を使用しないため、温水タンク１２内の温水温度が低下するのを防ぐことができるとともに、温水タンク１２における加熱用ヒータの消費電力が増加するのを防止できる。
【００４１】
次に、図５に示すタイミングチャートに従って動作例を説明する。使用者がトイレに入室後、着座すると、着座に連動してすすぎモード（以後、着座後すすぎ）が実行される。この場合、すすぎ水は便器洗浄ノズル２４から便器に噴出され、便器内面を濡らす。便器洗浄は、例えば１秒間程度実行される。着座後、通常のお尻洗浄モードあるいはビデ洗浄モードを選択した場合には、お尻ノズル２２あるいはビデノズル２３から、温水が局部に向かって噴出される。洗浄液洗浄モードを選択した際は、洗浄液が混合された温水がお尻ノズル２２から肛門に噴出される。
【００４２】
洗浄液洗浄モードを停止する操作が実行されると、自動的にすすぎモード（以後、洗浄後すすぎ）に移行し、さらに一定時間（例えば、１秒〜１０秒）経過した後に自動的にすすぎを停止する。すすぎモードの停止は、使用者のキー操作によって実行されてもよい。
【００４３】
この際のすすぎ水は、お尻ノズル２２から肛門周辺に噴出され、洗浄液供給経路Ｌ２やお尻洗浄ノズル２２のすすぎに加えて、肛門周辺に残った洗浄液をすすぐために用いられることになる。
【００４４】
さらに使用者が、離座するのに連動させて、再びすすぎモード（以後、離座後すすぎ）を数秒程度実行する。この際のすすぎ水は、ノズル洗浄ノズル２１から洗浄ノズル２２，２３に向かって噴出される。洗浄液洗浄モードが選択されなかった場合には、洗浄後すすぎは実行しなくてもよい。図７はこの場合の例を示している。これにより、水を節約することができる。
【００４５】
上記の着座後すすぎ、洗浄後すすぎ、離座後すすぎは、洗浄液洗浄モードを使用する毎に毎回実行することで洗浄液の固着防止効果が高くなるが、洗浄液洗浄モードの使用回数をカウントし、カウント値が一定値に達する毎に実行するようにしたり、積算タイマを設けて、前回のすすぎモードの実行からの経過時間が一定値を超えた時に、すすぎモードを実行するようにしてもよい。節水が可能となる。
【００４６】
また、時計機能を有するタイマを設けて、使用者が設定した時刻にすすぎモードが実行されるようにしてもよい。この場合、トイレの使用頻度が少ない夜間などにすすぎを実行させることができる。
【００４７】
着座後すすぎや離産後すすぎは、入室検知センサＳ２からの信号に連動させてもよい。この場合、入室後に着座後すすぎ（入室後すすぎ）が、退室後に離座後すすぎ（退室後すすぎ）が実行される。
【００４８】
なお、すすぎ実行選択キーで、自動すすぎモードＯＦＦが選択されている場合は、着座後すすぎ、洗浄後すすぎ、離座後すすぎのいずれか、あるいは、すべてが実行されないようにしておく。この場合、使用者が手動すすぎキーを選択することですすぎモードが実行される。この時のすすぎ水は、ノズル洗浄ノズル２１や便器洗浄ノズル２４から噴出されるようにしておくのが好ましい。
【００４９】
すすぎ弁３４を備えたすすぎ経路Ｌ３は、図８に示すように、給水経路Ｌ１の水ポンプ１３と洗浄液注入口３３との間から分岐して、洗浄液供給経路Ｌ２中の洗浄液供給手段３２と逆流防止弁３１との間に接続してもよい。この場合、すすぎモードが選択されると、給水弁１１とすすぎ弁３４が共に開き、水ポンプ１３と洗浄液供給手段３２が共に駆動される。給水口から流入した水は、温水タンク１２を経て水ポンプ１３によって一部が直接ノズル２に向かい、残りはすすぎ経路Ｌ３と洗浄液供給経路Ｌ２を通過したのち洗浄液注入口３３で合流してノズル２に送られ、ロータリー切替弁２０の選択位置に応じたノズル２１〜２４から噴出される。この場合、すすぎモードに温水が使用されるため、より高いすすぎ効果を得ることができる。図９はこの場合の動作の一例のタイムチャートを示す。
【００５０】
なお、本例におけるすすぎモードでは、水ポンプ１３を停止させておいてもよい。この場合、水道圧と洗浄液供給手段３２で発生する圧力とによって洗浄液供給手段３２や洗浄液供給経路Ｌ２及び洗浄液注入口３３をすすぐことになる。水ポンプ１３の圧損のためにすすぎ水量が低下するが、すすぎモードでは高い水圧を必要としないために問題は無く、しかも消費電力や騒音等を低減することができる。
【００５１】
すすぎ経路Ｌ３は図１０に示すように、給水経路Ｌ１の温水タンク１２と水ポンプ１３との間から分岐させてもよい。この場合、水ポンプ１３を駆動させなくても温水すすぎが実行することができる。
【００５２】
また、図１６に更に他例を示す。これは、給水経路の洗浄液注入口よりも上流側に水道水中に含まれる金属イオンを除去するための金属イオン除去部３７を設けたものである。金属イオン除去部３７としては、イオン交換樹脂などの金属イオン除去フィルターが挙げられるが特にこれに限定されない。水道水中の金属イオンは、洗浄液中に含まれる脂肪酸と結合して金属石鹸を生成するため、この金属石鹸が流路に固着してしまうのであるが、本例のように金属イオン除去部３７を設けることで、水道水中の金属イオンを除去することができて流路が目詰まりしてしまうのを防止することができる。
【００５３】
【発明の効果】
以上のように本発明においては、洗浄液保持部から洗浄液注入口に至る洗浄液供給経路に該経路の洗浄用の水を供給するすすぎ経路を備えているために、すすぎ経路に洗浄用の水を供給することで、洗浄液供給経路及びこの経路に設置された部材に洗浄液の固化分が付着することを無くすことができるものであり、洗浄液の固化による動作不良を無くすことができる。
【００５４】
更に、上記すすぎ経路は、給水経路中に配された洗浄水加熱用の加熱手段の前段と洗浄液供給経路とを接続しておくと、温水を利用する場合に比して、消費電力を少なくすることができる上に、局部洗浄にあたって水が温かくない事態を招くことを防ぐことができ、また、給水経路中に配された洗浄水加熱用の加熱手段の後段と洗浄液供給経路とを接続した場合には、温水によるすすぎを行えるために、洗浄液の固化分を確実に洗い流すことができる。いずれにしても洗浄液供給経路における洗浄液保持部側の端部に逆流防止弁を備えたものとしておくため、洗浄液保持部に水が逆流してしまうことがない。
【００５５】
更に、洗浄液供給経路の逆流防止弁の下流側で且つすすぎ経路が接続される部分の上流側に、すすぎ経路からの水流が逆流防止弁に直接当たるのを防止するための遮蔽板を備えているため、すすぎ経路からの水が遮蔽板に直接当たって逆流防止弁に直接当たらないため、逆流防止弁に力が及ぼされて変形してしまうことが防止できる。
【００５６】
すすぎ経路の途中に、すすぎ経路を開閉する開閉手段を設けたものとすると、すすぎ水の供給を必要な時だけに制限することができて、洗浄液が不当に薄められてしまうことがない。
【００５７】
また、洗浄液供給経路を洗浄した水を便器へ排出するための排水経路を備えたものとしたり、洗浄ノズルの前段に、固形物濾過用のフィルターを配したものすると、洗い流された固化分で洗浄ノズルが目詰まりしてしまうことを防ぐことができる。
【００５８】
そして、洗浄ノズルから洗浄水のみを噴出する温水洗浄モードと、洗浄液を洗浄水に混合した洗浄液洗浄モードと、洗浄液供給経路を洗浄するすすぎモードとを切り換えて実行することができるようになっているとともに、すすぎモードは他の動作モードに続いて自動実行されるものが好ましい。すすぎモードの実行を長期に怠ることで洗浄液の固化が進行してしまうことを防ぐことができる。
【００５９】
この場合、洗浄液洗浄モード使用毎にすすぎモードが実行されると、確実に洗浄液の固化を防ぐことができ、洗浄液洗浄モードが所定回数実行される毎にすすぎモードが実行されるものであると、水の消費量を抑えることができる。
【００６０】
また、人体の検知用の人体検知センサを有し、人体検知センサからの信号に連動してすすぎモードが実行されるようにしたり、人体の便座への離着座を検知するための着座センサからの着座信号に連動してすすぎモードを実行させるとともに、洗浄液供給経路を洗浄したすすぎ水を便器洗浄水として便器に噴出するものとしたり、人体の便座への離着座を検知するための着座センサからの離着座信号に連動させてすすぎモードを実行させるとともに、洗浄液供給経路を洗浄したすすぎ水をノズル洗浄水として洗浄ノズルに向けて噴出するものとしてもよい。
【００６１】
また、給水経路のうち洗浄液保持部からの洗浄液が注入される洗浄液注入口の部分の流路断面積を該給水経路の他の部分の流路断面積よりも大きくしたものとすると、洗浄液供給経路から給水経路に流入する洗浄液が給水経路を流れてきた温水と充分に撹拌混合されるようにできる。
【００６２】
また、給水経路の洗浄液注入口よりも上流側に水道水中に含まれる金属イオンを除去するための金属イオン除去部を備えたものとすると、水道水中の金属イオンを除去することができて、金属イオンに起因する金属石鹸による流路の目詰まりを防止することができる。
【図面の簡単な説明】
【図１】本発明の実施の形態の一例の配管図である。
【図２】同上の他例の配管図である。
【図３】同上の更に他例の配管図である。
【図４】同上の洗浄ノズルの詳細例を示す配管図である。
【図５】同上の動作の一例を示すタイムチャートである。
【図６】同上の外観を示す斜視図である。
【図７】同上の動作の他例を示すタイムチャートである。
【図８】別の例の配管図である。
【図９】同上の動作の一例を示すタイムチャートである。
【図１０】さらに別の例の配管図である。
【図１１】さらに別の例の配管図である。
【図１２】同上の遮蔽板の詳細例を示す配管図である。
【図１３】同上の遮蔽板の詳細例を示す斜視図である。
【図１４】給水経路の洗浄液注入口の部分の流路断面積を大きくした一例を示す部分配管図である。
【図１５】給水経路の洗浄液注入口の部分の流路断面積を大きくした他例を示す部分配管図である。
【図１６】さらに別の例の配管図である。
【図１７】従来例の平面図である。
【図１８】同上の配管図である。
【図１９】同上の動作説明図である。
【符号の説明】
Ｌ１  給水経路
Ｌ２  洗浄液供給経路
Ｌ３  すすぎ経路
２  洗浄ノズル
３０  洗浄液タンク
３３  洗浄液注入口
【図１】
0004066749.tif 000002
【図２】
0004066749.tif 000003
【図３】
0004066749.tif 000004
【図４】
0004066749.tif 000005
【図５】
0004066749.tif 000006
【図６】
0004066749.tif 000007
【図７】
0004066749.tif 000008
【図８】
0004066749.tif 000009
【図９】
0004066749.tif 000010
【図１０】
0004066749.tif 000011
【図１１】
0004066749.tif 000012
【図１２】
0004066749.tif 000013
【図１３】
0004066749.tif 000014
【図１４】
0004066749.tif 000015
【図１５】
0004066749.tif 000016
【図１６】
0004066749.tif 000017
【図１７】
0004066749.tif 000018
【図１８】
0004066749.tif 000019
【図１９】
0004066749.tif 000020